(57)【要約】      （修正有）【課題】ストロボ撮影手動モードにおいて、ＧＵＩによるストロボポップアップ操作ができない場合にも、ストロボ撮影を可能とする撮像装置を提供する。【解決手段】格納位置と使用位置とのいずれかに位置することが可能な内蔵閃光装置１０２と、前記内蔵閃光装置アップ駆動手段と、前記アップ駆動手段を操作するためのＧＵＩとして表示する表示手段１０４と、アップ駆動が自動的になされる自動モードと、操作に対応してなされる手動モードの一方が可能とされ、前記、前記手動モードにおいて前記表示手段に表示されたＧＵＩが使用できない場合、自動モードとして作動することを特徴とする構成とした。【選択図】図１
2012189839.tif 000002
【特許請求の範囲】
【請求項１】
格納位置と使用位置とのいずれかに位置することが可能な内蔵閃光装置（１０２）と、
前記内蔵閃光装置を格納位置から使用位置に駆動するアップ駆動手段（２０３）と、
前記アップ駆動手段を操作するためのグラフィカルユーザーインターフェイスとして表示する表示手段（１０４）と、
前記内蔵閃光装置の前記格納位置から前記使用位置へのアップ駆動が自動的になされる自動モードと、操作に対応してなされる手動モードの一方が可能とされ、
前記手動モードにおいて前記表示手段に表示されたグラフィカルインターフェイスが使用できない場合、前記自動モードとして作動することを特徴とした撮像装置。
【請求項２】
前記表示手段は表示面が見えないように格納可能であり、
前記手動モードにおいて前記表示手段が格納された場合、前記自動モードとして作動することを特徴とする請求項１に記載の撮像装置。
【請求項３】
前記表示手段は消灯することが可能であり、
前記手動モードにおいて前記表示手段が消灯された場合、前記自動モードとして作動することを特徴とする請求項１に記載の撮像装置。
【請求項４】
前記アップ駆動手段を操作する機能に割り付けが可能な操作部材（１０３）があり
前記操作部材がアップ駆動手段を操作する機能に割り付けられた場合、
前記表示手段に表示されたグラフィカルインターフェイスが使用できない場合においても、前記手動モードとして作動することを特徴とする請求項１に記載の撮像装置。
【発明の詳細な説明】
【技術分野】
【０００１】
本発明は、カメラ等の撮像装置に関し、特にポップアップストロボ付きの撮像装置に関するものである。
【背景技術】
【０００２】
従来、ポップアップストロボ付きのカメラにおいて、ストロボの使用可否を自動的に判定して撮影することや、撮影者が自分で判断してストロボ撮影を行うためにストロボをポップアップさせるスイッチを設けたものがある。
【０００３】
例えば特許文献１において被写体の輝度が所定以下の場合に自動的にストロボをポップアップさせ、ストロボ撮影を行うカメラに関する発明が開示されている。
【０００４】
さらに特許文献２では、ボタンや操作部材の点数を削減するためストロボのポップアップ手段と他のモード設定の切り替え手段をひとつのボタンに統合したボタンを備えるカメラに関する発明が記載されている。
【０００５】
また、ストロボポップアップの機能を操作部材として設置せず、ディスプレイ上にストロボポップアップ機能の設定項目を表示し、その機能を設定する操作により撮影者がストロボをポップアップさせることができるようにしたものがある。
【先行技術文献】
【特許文献】
【０００６】
【特許文献１】特開２００７−４７２８２号公報
【特許文献２】特開２００２−７２３０３号公報
【発明の概要】
【発明が解決しようとする課題】
【０００７】
しかしながら上述の特許文献１に開示された従来技術では、撮影者の判断によりストロボをポップアップさせストロボ撮影を行う事ができない。さらに、特許文献２に開示された従来技術では、ストロボポップアップを行う操作部材を少なくとも１つは位置する必要がある。
【０００８】
また、グラフィカルユーザーインターフェイス（ＧＵＩ）をディスプレイ上に表示してストロボポップアップ操作を行う場合、ディスプレイが表示されていない場合や、ディスプレイが物理的に見えない状態では、ストロボ撮影を行うことができない。（カバー部材で覆われた場合や格納され表示面が見えない場合ディスプレイが物理的に見えない。）。
【０００９】
ストロボ撮影手動モードにおいて、ＧＵＩによるストロボポップアップ操作ができない場合にも、ストロボ撮影を可能とする事を目的とする。
【課題を解決するための手段】
【００１０】
上記目的を達成するために本発明は、
格納位置と使用位置とのいずれかに位置することが可能な内蔵閃光装置（１０２）と、
前記内蔵閃光装置を格納位置から使用位置に駆動するアップ駆動手段（２０３）と、
前記アップ駆動手段を操作するためのグラフィカルユーザーインターフェイスとして表示する表示手段（１０４）と、
前記内蔵閃光装置の前記格納位置から前記使用位置へのアップ駆動が自動的になされる自動モードと、操作に対応してなされる手動モードの一方が可能とされ、
前記、前記手動モードにおいて前記表示手段に表示されたグラフィカルインターフェイスが見えない場合、前記自動モードとして作動することを特徴とする。
【発明の効果】
【００１１】
本発明によればストロボ撮影手動モードにおいて、ＧＵＩによるストロボポップアップ操作ができない場合にも、ストロボ撮影を可能とする撮像装置を提供することができる。
【図面の簡単な説明】
【００１２】
【図１】カメラの外観を示す図
【図２】カメラの回路図
【図３】バリアングル状態を説明する図
【図４】クイック設定
【図５】カスタマイズ設定
【図６】ストロボモード設定を説明するフローチャート
【図７】カメラの全体動作を説明するフローチャート
【図８】手動ポップアップのフローチャート
【発明を実施するための形態】
【００１３】
以下に、本発明の好ましい実施の形態を、添付の図面に基づいて詳細に説明する。
【００１４】
［実施例１］
以下、図１を参照して、本発明の第1の実施例による、撮像装置について説明する。
【００１５】
図１は、本実施形態に係るカメラ（撮像装置）の外観を示す図である。図１（ａ）は、カメラの正面図である。図１（ｂ）は、カメラの背面図である。
【００１６】
図１に示すように、カメラ１００は、レリーズボタン１０１と、内蔵閃光装置であるストロボ１０２と、ＰＰＰボタン１０３と、表示手段である背面ディスプレイ１０４と、撮影レンズ１０５とを含んでいる。撮影レンズ１０５は、カメラ１００本体と着脱することができる。
【００１７】
レリーズボタン１０１は、２段階で押し込むことができるスイッチである。ユーザが半押しすることにより、１段目のＳＷ１（第１のスイッチ）がＯＮになる。また、ユーザが全押しすることにより、２段目のＳＷ２（第２のスイッチ）がＯＮになる。
【００１８】
ストロボ１０２は、内蔵閃光装置である。ストロボ１０２は、格納位置と使用位置との間を移動することができるように構成されている。格納位置とは、ストロボ１０２がダウン状態であって、カメラ本体に格納される位置をいう。本実施形態のカメラは、ペンタプリズムの上部に格納されるように構成されている。使用位置とは、ストロボ１０２がアップ状態であって、カメラ本体の上部に突出した位置をいう。（図１(a)（ｂ）はストロボ使用位置、図３（ａ）（ｂ）（ｃ）は、ストロボが格納位置にある）
ＰＰＰボタン１０３は、ストロボ１０２を撮影者の操作によりポップアップさせるための押しボタン式スイッチである。このボタンをＯＮすると、格納位置にあるストロボ１０２は、使用位置に移動する。また、ＰＰＰボタン１０３は、ストロボポップアップとは別の機能に割り振る事が可能である。ＰＰＰボタン１０３がストロボポップアップ機能以外に割り振られた場合、ストロボのポップアップ操作は後述する「クイック設定」で行う。
【００１９】
背面ディスプレイ１０４は、カメラ１００本体の背面に設けられた画像表示部である。背面ディスプレイ１０４には、ライブビュー画像を表示したり、各種設定メニューをＧＵＩ形式で表示したり、カメラ１００の測光値や動作状態を表示したりする。
【００２０】
背面ディスプレイ１０４は、バリアングルヒンジ１１６により本体に接続されている。このヒンジにより以下の位置にすることができる。
【００２１】
（１）背面ディスプレイの表示面が外側になるようかつ、カメラの背面に沿わせるような位置。（図１（ｂ）参照）。
【００２２】
（２）背面ディスプレイ１０４の表示面が内側になるように格納する位置（図３（ａ）参照）この位置を「バリアングル閉」という。この位置では、背面ディスプレイ１０４の表示を見ることはできないため、「クイック設定」は、できない。
【００２３】
（３）カメラの背面からみて左側に背面ディスプレイが出っ張った状態でカメラの背面方向に表示面が向く位置。（図３（ｂ）参照）この位置のバリエーションとして、ディスプレイがカメラの上方向を向く位置（カメラをローアングルにして撮影するときに使う）や、カメラの下方向を向く位置（カメラをハイアングルにして撮影するときに使う）がある。
【００２４】
（４）カメラの正面側に背面ディスプレイの表示面が向く位置。（図３（ｃ））この位置では撮影者自身を撮影するときに使用するため、背面ディスプレイに表示するライブビュー画像を鏡面反転させて表示することもある。
【００２５】
背面ディスプレイ１０４の位置は、ヒンジ内に配置されたスイッチ（不図示）により検知することができる。
【００２６】
ＭＥＮＵボタン１０７は、背面ディスプレイ１０４にメニュー表示をさせるスイッチである。
【００２７】
１１４（１１４Ｕ、１１４Ｒ、１１４Ｄ、１１４Ｌ）は、十字キーでそれぞれ、背面ディスプレイ１０４に表示されたフォーカス位置を上、右、下、左方向に移動させたり、焦点検出ポイントを選択するときに使うスイッチである。
【００２８】
ＳＥＴボタン（１１２）は、設定値を決定するボタンである。
【００２９】
ＭＥＮＵボタン１０７により、背面ディスプレイ１０４にメニュー表示させて、十字キー１１４で値を設定し、ＳＥＴボタン１１２で決定することにより、カメラらの様々な設定を行う事ができる。
【００３０】
撮影モードダイアル（MODE）１０６はダイヤル式スイッチである。このダイアルスイッチによりカメラの撮影モードを設定することができる。撮影モードは、撮影者が様々な撮影条件を設定して撮影するモードの種類（応用撮影モードという）と、カメラが様々な設定を自動的に設定して撮影するモードの種類（簡単撮影モードという）がある。
【００３１】
応用撮影モードの種類には、マニュアル露出モード、シャッタ優先プログラムモード（ＴＶ優先）、絞り優先プログラムモード（ＡＶ優先）、プログラムモードがある。簡単撮影モードの種類には、全自動モード、風景モード、人物モード、スポーツモードがある。
【００３２】
応用撮影モードでは、ストロボの使用可否は撮影者が決定する。撮影モードダイアル１０６が応用撮影モードに設定されている場合にＰＰＰボタン１０３をＯＮすると格納位置にあったストロボ１０２は、使用位置にポップアップする。この状態で撮影を行うと、ストロボ撮影を行うことができる。
【００３３】
簡単撮影モードでは、ストロボは自動発光になるため、ＰＰＰボタン１０３を操作してもストロボはポップアップしない。
【００３４】
ＤＩＳＰボタン１１０は背面ディスプレイ１０４の表示を切り替えるためのスイッチである。
【００３５】
背面ディスプレイ１０４に撮影機能表示をしているときにＤＩＳＰボタン１１０をＯＮすると、撮影機能表示を消すことができる。（ディスプレイ消灯モード）表示が消えているときにＤＩＳＰボタン１１０をＯＮすると撮影機能表示を表示する事ができる。背面ディスプレイ１０４が消えているとき（ディスプレイ消灯モード）は、後述の「クイック設定」などディスプレイを表示して設定値を変える操作はできない。
【００３６】
背面ディスプレイ１０４に画像を再生しているときにＤＩＳＰボタン１１０をＯＮすると、その画像の撮影情報表示の有無や種類を切りえる事ができる。
【００３７】
クイック設定ボタン(Q)１１１をＯＮすると、背面ディスプレイ１０４に撮影機能表示した状態で撮影機能を直接選択して機能の設定することができる。（「クイック設定」という。設定方法は後述する。）。
【００３８】
ＰＬＡＹボタン１１５をＯＮするとカメラは再生モードになり、撮影画像を背面ディスプレイ上に表示する。
【００３９】
次に、図２を参照して、本実施形態に係るカメラの回路図について説明する。図２は、本実施形態に係るカメラの回路図の一例を示す図である。
【００４０】
カメラ１００は、ＭＰＵ２０６、ＡＦセンサ２２６、測光回路２１５、レンズドライバ２１４、ディスプレイドライバ（ＤＯＲ）２２４を含む。さらに、カメラ１００は、ストロボポップアップ用のスイッチ（ＰＳＷ）２０４、画像表示部２２５、第１のスイッチ（ＳＷ１）２２２、第２のスイッチ（ＳＷ２）２２３を含んでいる。
【００４１】
ＭＰＵ２０６は、カメラ１００の制御用マイクロプロセッサである。本実施形態のＭＰＵ２０６は、ＲＯＭ又はフラッシュメモリ、ＥＥＰＲＯＭ等の不揮発性メモリとＲＡＭのような揮発性メモリとを備え、更に、各種Ｉ／Ｏ回路を組み込んであるワンチップマイコンである。したがって、図２では、ＭＰＵ２０６とその他の回路のインタフェイスの詳細は省略して図示している。例えば、ＭＰＵ２０６とＡＦセンサ２２６との接続は、実線で繋いでいるが、実際はシリアル通信インタフェイスにより接続されている。
【００４２】
ＡＦセンサ（ＡＦ−ＳＮＳ）２２６は、焦点を調節する。ＡＦセンサ２２６は、レンズ光学系からの光束が分割されて撮像面と光学的に等しく位置付けられた面とに配置され、ＭＰＵ２０６からのシリアル通信による制御に基づいて作動する。ＡＦセンサ２２６は、位相差ＡＦで利用するための焦点検出データをシリアル通信で、ＭＰＵ２０６に送信する。
【００４３】
測光回路（ＭＥＳ）２１５は、ＭＰＵ２０６からの制御に基づいて被写体の明るさを測定（測光）し、この測光結果をＭＰＵ２０６に出力する。ＭＰＵ２０６は測光結果に基づいて露出値を決定する。
【００４４】
さらに、ストロボが自動発光制御の場合は、ＭＰＵ２０６は測光結果に基づきストロボの発光判断を行う。ＭＰＵ２０６がストロボを発光すると判定した場合、ストロボをポップアップさせ、撮影時にストロボ発光ができるように準備する。
【００４５】
レンズドライバ（ＬＣＭ）２１４は、ＭＰＵ２０６からの制御に基づいて撮影レンズの接続端子に対して電源供給を行なったり、シリアル通信の中継を行なったりする。
【００４６】
本実施形態のカメラ１００は、撮影レンズ２１２を着脱することができる。図２では、鎖線で囲まれた矩形領域が撮影レンズ２１２である。撮影レンズ２１２は、絞り装置２０９、光学式手ぶれ防止駆動装置２１０、レンズ制御用マイクロプロセッサ２１１、モータ２０８、エンコーダ２０７を含んでいる。
【００４７】
絞り装置（ＥＭＤ）２０９は、絞りを制御するものである。
【００４８】
光学式手ぶれ防止駆動装置（ＩＳＵ）２１０は、手ぶれを防止するためにレンズを移動させて、ぶれ補正を行なう駆動装置である。
【００４９】
レンズ制御用マイクロプロセッサ（ＬＰＵ）２１１は、撮影レンズ２１２全体を制御する。
【００５０】
モータ（ＬＭＴＲ）２０８は、フォーカシングレンズの駆動を行なうモータである。
【００５１】
エンコーダ（ＥＮＣＦ）２０７は、モータ２０８によるレンズの駆動を読み取るものである。
【００５２】
ディスプレイドライバ２２４は、画像表示部２２５を駆動するものである。画面表示部２２５は図１に示す背面ディスプレイ１０４に対応する。
【００５３】
ディスプレイドライバ２２４は、ＭＰＵ２０６からの通信により制御されて画像表示部２２５にライブビュー画像を表示したり、エラーになったときにメッセージを表示したりする。また、ディスプレイドライバ２２４には、ＰＳＷ（２０４）他、複数のスイッチ入力ポートが設けられている。したがって、ディスプレイドライバ２２４は、通信によりＭＰＵ２０６に対し、スイッチ検知状態を通知することができる。
【００５４】
ストロボポップアップ用のスイッチ（ＰＳＷ）２０４は、ディスプレイドライバ２２４に接続されている。（ＰＳＷ）２０４は図１に示すＰＰＰボタン１０３に対応する。
【００５５】
図１に示すＰＰＰボタン１０３がユーザによって押下されることにより、ストロボポップアップ用のスイッチ（ＰＳＷ）２０４がＯＮになる。ストロボポップアップ用のスイッチ（ＰＳＷ）２０４がＯＮになると、ディスプレイドライバ２２４は、通信によりＭＰＵ２０６に対し、ＰＳＷ２０４のＯＮ状態を通知する。
【００５６】
図1に示すＭＥＮＵボタン１０７、ＤＩＳＰボタン１１０、クイック設定ボタン(Q)１１１、十字キー１１４、ＳＥＴボタン１１２などのスイッチはＰＳＷ（２０４）同様、ディスプレイドライバ２２４に接続されている。スイッチ状態は通信によりＭＰＵ２０６に通知される。
【００５７】
第１のスイッチ２２２は、図１に示すレリーズボタン１０１の半押し状態でＯＮするＳＷ１に対応する。
【００５８】
第２のスイッチ２２３は、図１に示すレリーズボタン１０１の全押し状態でＯＮするＳＷ２に対応する。
【００５９】
第１のスイッチ２２２と第２のスイッチ２２３とは、ＭＰＵ２０６の割り込みポートに接続されている。したがって、ＭＰＵ２０６は、第１のスイッチ２２２と第２のスイッチ２２３とのＯＮ／ＯＦＦの変化を直接検知することができる。
【００６０】
また、カメラ１００は、アップ駆動手段であるモータ２０３、第１の信号出力ポート２１８、第２の信号出力ポート２１９、第１の電磁石２１６、第２の電磁石２１７、ストロボ２０２、ポップアップ開始検知スイッチ２２７、ポップアップ位置検知スイッチ２０５を含んでいる。
【００６１】
モータ（ＭＴＲ）２０３は、カメラ１００の動作に用いるものである。モータ２０３は、正転することで撮影動作を行い、逆転することでストロボポップアップ動作を行うようになっている。（請求項１：アップ駆動手段）。
【００６２】
第１の信号出力ポート（ＳＭＧ１）２１８と第２の信号出力ポート（ＳＭＧ２）２１９とは、カメラ１００のシャッタ走行を制御するための信号を出力するポートである。第１の信号出力ポート２１８は、増幅器を介して第１の電磁石（ＭＧ１）２１６に接続されている。また、第２の信号出力ポート２１９は、増幅器を介して第２の電磁石（ＭＧ２）２１７に接続されている。
【００６３】
ストロボ（ＰＯＰＳＴ）２０２は、図１に示すストロボ１０２に対応する。ストロボ２０２は、モータ２０３が逆転することでストロボ２０２を係止しているフックが外れ、スプリングの付勢力によりポップアップする。
【００６４】
ポップアップ開始検知スイッチ（ＰＯＰＣＴＬ）２２７は、ストロボ２０２のポップアップ開始を検知するスイッチである。ポップアップ開始検知スイッチ２２７は、モータ２０３が回転したときに信号が変化するモータ駆動位相基板と接触している。ポップアップ開始検知スイッチ２２７は、モータ２０３の逆転によりストロボ２０２を係止しているフックが外れるところまで駆動が進んだことを検知する。
【００６５】
ポップアップ位置検知スイッチ（ＰＯＰＥＮＤ）２０５は、ストロボ２０２のポップアップ位置を検知するスイッチである。フックが外れてから、スプリングの付勢力でストロボ２０２のポップアップが完了するまでには、数十〜百数十ミリ秒程度の時間を要する。ここで、ストロボ２０２は、スプリングの付勢力でポップアップするために、カメラ１００の上部に障害物がある等して、ストロボ２０２が押さえられ、ポップアップできない状況も考慮する必要がある。したがって、ポップアップ開始検知スイッチ２２７とは別に、ポップアップ位置検知スイッチ２０５は、ストロボ２０２の使用位置までポップアップしたことを検知し、ポップアップ動作の完了を検知する。
【００６６】
ポップアップ開始検知スイッチ２２７によるポップアップ開始検知と、ポップアップ位置検知スイッチ２０５によるポップアップ位置検知の結果を合わせることで、ストロボ２０２が正常に使用位置に駆動されたかを検知することができる。
【００６７】
２０１はＣＭＯＳ等で構成された撮像素子であり、撮影レンズ２１２から入射した被写体光束を受光して、光電変換により電気信号に変換する素子である。
【００６８】
ＡＳＵ（２１３）は、撮像素子２０１から出力された信号に対して公知の信号処理を行い、信号をデジタル化するプロセス回路である。
【００６９】
次に図７のフローチャートを用いて、カメラの全体動作を説明する。
【００７０】
図７は、本実施形態のカメラの電源ＯＮ後の動作を示すフローチャートである。
【００７１】
図７で先ずＳ７０１：不図示の電源ＳＷをＯＮして電源が投入されると、Ｓ７０２：撮影のための初期値の設定が行われ、カメラの設定状態表示を行う。初期値は、前回電源投入時に設定されていた値、または、あらかじめ決められた値がＭＰＵ２０６内のメモリに保存されており、それに設定される。
【００７２】
まず、Ｓ７０３においてＰＬＡＹボタン１１５がＯＮされたかを判定し、ＯＮならばＳ７０４に進んで再生処理が行われる。
【００７３】
再生処理（Ｓ７０４）では既に撮影された画像ファイルを不図示の記録媒体から読み出し、所定の処理を行い背面ディスプレイ１０４に表示する。処理後はＳ７０５へ進む。
【００７４】
Ｓ７０３で再生釦が押されていなければＳ７０５へ進む。
【００７５】
次に、Ｓ７０５においてＭＥＮＵボタン１０７がＯＮされたかを判定し、ＯＮならばＳ７０６に進んで各種の設定処理が行われる。
【００７６】
各種設定処理（Ｓ２０４）では、カメラの様々な設定項目を一覧表示し（設定メニュー）、設定項目を選択し、その設定項目に応じた設定を行う。設定メニューで、設定できる項目の一つに、ＰＰＰボタン１０３のカスタマイズ設定がある。
【００７７】
ここで、図５を使って、ＰＰＰボタン１０３のカスタマイズ設定について説明する。
【００７８】
背面ディスプレイ１０４に設定メニューが表示される。設定メニューの項目は十字キー１１４を使ってスクロールすることができる。設定メニューの「ＰＰＰボタンの機能」を選択する。（図５（ａ））  項目表示の右側には、現在の設定値「ストロボＵＰ」が表示され、ＰＰＰボタン１０３がストロボをポップアップする機能に割り当てられている事がわかる。「ＰＰＰボタンの機能」を選択し、ＳＥＴボタン１１２をＯＮするとこの機能の選択肢が表示される。（図５（ｂ）参照）  十字キー１１４を使って選択を「ストロボＵＰ」から「ＩＳＯ設定」に変更し（図５（ｃ）参照）、ＳＥＴボタン１１２をＯＮすると「ＰＰＰボタンの機能」に「ＩＳＯ設定」が割り振られる。（図５（ｄ））。ＰＰＰボタン１０３を押すと直接ＩＳＯ設定変更画面になり、ＩＳＯ設定ができるようになる。この状態では、ＰＰＰボタン１０３をＯＮしてもストロボはポップアップしない。
【００７９】
このように、設定メニューを表示して、設定したい項目を選び、その項目の設定値をＳＥＴボタンによって設定することができる。
【００８０】
再び図７のフローチャートに戻って説明を続ける。各種設定処理が終了したら、Ｓ７１５へ進む。
【００８１】
Ｓ７０５でＭＥＮＵボタン１０７が押されていなければ、Ｓ７１５へ進む。
【００８２】
Ｓ７１５でサブルーチン、ストロボモード設定をコールする。
【００８３】
ここでストロボモード設定の動作を図６のフローチャートで説明する。
【００８４】
ストロボのモードには自動発光モードと手動モードがあり、自動発光モードはカメラがストロボ使用／未使用を自動的に判定する。手動モードは撮影者がストロボをポップアップさせることによりストロボの使用を設定する。（ストロボが格納状態では、ストロボを使用しない）手動モードでは、ボタン設定またはクイック設定の２種類の方法でストロボをポップアップさせることができる。
【００８５】
ストロボモード設定では、これらの「自動発光モード」、「手動モード」、および手動モードでの設定方法の許可判定を行う。
【００８６】
サブルーチンがコールされると（Ｓ６０１）、まず、カメラの撮影モードが簡単撮影モードであるか判定する（Ｓ６０２）。簡単撮影モードであればＳ６１３へ分岐し、ストロボモードを自動発光モードに設定し、輝度閾値をＥとする（Ｓ６１３）。自動発光モードでは、ＰＰＰボタン１０３をＯＮしてもストロボ１０２はポップアップしない。さらに、自動発光モードでは、クイック設定によるストロボポップアップも行わない。Ｓ６１３で自動発光モードに設定すると、Ｓ６１２へ進みサブルーチンをリターンする。
【００８７】
Ｓ６０２で簡単撮影モードでない場合、Ｓ６０４へ進む。ここで、ＰＰＰボタン１０３の機能がストロボのポップアップ動作に割り当てられているか判定する。ストロボポップアップ機能に割り当てられていない場合は、Ｓ６０５へ進む。背面ディスプレイ１０４の位置が「バリアングル閉」の場合、すなわち図３（ａ）の状態なら、Ｓ６０３へ分岐し、ストロボモードを自動発光モードに設定する。このとき撮影モードによるオートポップアップとディスプレイ画面操作可否による自動発光モードでは、発光判定の閾値を変える。通常、応用撮影モードでは撮影者の意図によりストロボを使用しない事があるため、簡単撮影モードの発光判定閾値より発光しにくい値Ｃを設定する。
【００８８】
応用撮影モードにおいて（Ｓ６０２で判定）、ＰＰＰボタン１０３がストロボのポップアップ機能に割り当てられてなく（Ｓ６０４で判定）、さらに、「バリアングル閉」（Ｓ６０５で判定）ためクイック設定もできない状態である。この様なカメラ設定および背面ディスプレイの位置では、撮影者の操作によりストロボをポップアップさせられない。結果としてストロボを使った撮影ができなくなってしまう。このような事を避けるため、ストロボモードを自動発光モードに設定して（Ｓ６０３）、カメラが判定してストロボ撮影をできるようにする。
【００８９】
Ｓ６０５で背面ディスプレイ１０４の位置が「バリアングル閉」でない場合Ｓ６０６へ進み、ディスプレイ消灯モードであるか判定する。
【００９０】
消灯モードなら、Ｓ６０３へ分岐し、ストロボを自動発光モードに設定する。
【００９１】
この場合も、応用撮影モードにおいて（Ｓ６０２で判定）、ＰＰＰボタン１０３がストロボのポップアップ機能に割り当てられてなく（Ｓ６０４で判定）、さらに、ディスプレイ消灯モード（Ｓ６０６で判定）ためクイック設定ができない状態である。「バリアングル閉」と同様ストロボモードを自動発光モードに設定して（Ｓ６０３）ストロボ撮影をできるようにする。
【００９２】
Ｓ６０６でディスプレイ消灯モードでなければ、ストロボモードを手動に設定し、クイック設定によるポップアップ動作を許可する（Ｓ６０７）。ここでは、ＰＰＰボタン１０３がストロボのポップアップ機能に割り当てられてない（Ｓ６０４で判定）ため、クイック設定によるポップアップ機能のみが許可される。
【００９３】
処理が終了すると、Ｓ６１２へ進みサブルーチンをリターンする。
【００９４】
Ｓ６０４に戻り説明を続ける。Ｓ６０４でＰＰＰボタン１０３がストロボポップアップ機能に割り当てられている場合、Ｓ６０８へ進む。背面ディスプレイ１０４の位置が「バリアングル閉」の場合（Ｓ６０８で判定）Ｓ６０９へ進み、ストロボモードを手動モードに設定し、ボタンでのボップアップ動作を許可する。すなわち、ＰＰＰボタン１０３での手動ポップアップを許可する。この場合背面ディスプレイが見えないため、クイック設定は許可しない。背面ディスプレイ１０４の位置が「バリアングル閉」でない場合（Ｓ６０８で判定）に、ディスプレイ消灯モードであれば（Ｓ６１０で判定）Ｓ６０９へ進み、ストロボモードを手動モードに設定し、ボタンでのボップアップ動作を許可する。
【００９５】
背面ディスプレイ１０４の位置が「バリアングル閉」でなく（Ｓ６０８）、ディスプレイも消灯（Ｓ６１０）していなければ、Ｓ６１１に進み、ストロボモードを手動モードに設定し、ボタン設定、クイック設定の両方によるストロボポップアップを許可する。設定が終了すると、Ｓ６１２へ進みサブルーチンをリターンする。
【００９６】
図７のフローチャートに戻り説明を続ける。
【００９７】
Ｓ７１５でサブルーチン  ストロボモード設定の処理を終了すると、サブルーチン手動ポップアップを実行する。
【００９８】
サブルーチン手動ポップアップの動作を図８で説明する。
【００９９】
サブルーチン手動ポップアップでは、ストロボモードが手動モードの場合に、ポップアップが許可された方法でポップアップ操作が行われたかを判定し、実際にストロボをポップアップさせる。
【０１００】
サブルーチンがコール（Ｓ８０１）されると、まず、ストロボモードが手動モードでボタンによるストロボポップアップが許可されているか判定する。許可されていればＳ８０３へ進み、ＰＰＰボタン１０３がＯＮしているか判定する。ここでＰＰＰボタン１０３がＯＮならストロボをポップアップさせる。（Ｓ８０４）ストロボがポップアップしたらＳ８０７でサブルーチンをリターンする。
【０１０１】
Ｓ８０２においてストロボモードが手動モードでボタンが許可されていない場合、Ｓ８０３でＰＰＰボタン１０３がＯＮでない場合、Ｓ８０５へ進む。
【０１０２】
ここで、ストロボモードが手動モードでクイック設定によるストロボポップアップが許可されているか判定する。許可されていればＳ８０６へ進み、クイック設定によるストロボポップアップ操作が実行されたか判定する。（クイック設定によるストロボポップアップ操作は、図４を使って説明する。）ここでストロボポップアップ操作が実行されたら、Ｓ８０４でストロボをポップアップさせる。処理が終了したらＳ８０７でサブルーチンをリターンする。
【０１０３】
ストロボモードが手動モードでクイック設定が許可されていない場合（Ｓ８０５）、または、クイック設定でポップアップ操作が実行されなかった場合、ストロボポップアップせずにサブルーチンをリターンする。（Ｓ８０７）。
【０１０４】
図７のフローチャートに戻り説明を続ける。サブルーチン手動ポップアップをリターンすると、Ｓ７１７においてレリーズ釦がＯＮされたかを判定する。
【０１０５】
ＯＮならばＳ７１８に進んでレリーズボタンの半押し状態（ＳＷ１がＯＮ）を判定する。ＳＷ１がＯＦＦなら、「１」へ進む。ＳＷ１がＯＮならＳ７１９へ進み、ストロボモードが自動発光モードか判定する。
【０１０６】
自動発光モードなら、Ｓ７２０で自動発光の判定を行う。測光回路（ＭＥＳ）の測光結果から全体の明るさや明るさの分布状況から設定された閾値と比較してストロボ撮影するか判定を行う。撮影にストロボ発光が必要な場合、ＭＰＵ２０６はモータ２０３を逆転することでストロボをポップアップさせる。 ストロボ発光が不要な場合は、ストロボをポップアップさせない。処理が終了するとＳ７２１へ進む。Ｓ７１９でストロボモードが自動発光モードでない場合も、Ｓ７２１へ進む。
【０１０７】
ここでレリーズボタンの全押し状態（ＳＷ２がＯＮ）を判定する。ＳＷ２がＯＮならＳ７２２へ進み撮影動作を実行する。
【０１０８】
撮像素子２０１の蓄積を開始し、シャッタの先幕後幕を走行させ、（ＭＧ１、ＭＧ２）露光を行う。撮像素子２０１で光電変換された電気信号は所定の処理を行い、画像ファイルとして記録媒体（不図示）に記録される。
【０１０９】
撮影のときにストロボがポップアップ状態であればストロボを発光させて撮影を行う。
ストロボモードが手動モードならサブルーチン手動ポップアップＳ７１６で、もしくは自動発光モードであれば自動発光判定（Ｓ７２０）でストロボのポップアップが実行されている。撮影動作が終了すると、「１」へ進む。
【０１１０】
Ｓ７１７やＳ７１８でレリーズボタンがＯＮしていない場合、または、Ｓ７２２で撮影が終了した場合Ｓ７２３に進み、電源スイッチがＯＦＦされたかを判定し、ＯＦＦならばＳ７２４に進んで電源ＯＦＦの処理を行う。
【０１１１】
電源スイッチＳＷがＯＦＦでないならばＳ７０３にもどり上記の処理を繰り返す。
【０１１２】
次に図４を使って、応用撮影モードの撮影機能画面およびクイック設定に関して説明する。図４では、一例として、撮影モード：ＴＶ優先（４０１）、シャッタ速度：1/250秒（４０２）、絞り：Ｆ５．６（４０３）、ＩＳＯ：１００（４０４）、露出補正：０（４０５）、記録画質：ラージ/ファイン（４１２）、ホワイトバランス：太陽光（４１３）、ＡＦモード：ワンショットＡＦ（４０８）、電池状態：フル充電（４１１）、ドライブモード：連写（４１０）、測光モード：評価測光（４０９）、撮影可能枚数：３２１枚（４０７）の状態を表示している。
【０１１３】
ストロボポップアップ（４０６）は状態表示ではなく、クイック設定で使用するアイコン表示である。機能選択枠４１４はクイック設定で設定する機能を囲む枠表示である。
【０１１４】
背面ディスプレイ１０４に撮影機能表示した状態でクイック設定ボタン１１１をＯＮすると「クイック設定」状態になる。「クイック設定」状態では、十字キー１１４を使って、機能選択枠でフォーカスされた部分の設定値を変更することができる。以下がクイック設定できる機能である。
【０１１５】
ＴＶ値、ＡＶ値、ＩＳＯ値、露出補正、記録画質、ホワイトバランス、ＡＦモード、ストロボポップアップ、ドライブモード、測光モード（但し、マニュアル露出での露出補正、ＴＶ優先ＡＥでの絞り値、絞り優先ＡＥでのシャッタ速度、プログラムＡＥでのシャッタ速度および絞り値は設定できない。）。
【０１１６】
例えば、機能選択枠をドライブモード４１０に移動させ、ＳＥＴボタン１１２をＯＮするとドライブモード選択画面になる。（不図示）ドライブモード選択画面でドライブモード、すなわち単写モード、連写モード、セルフタイマーモードの設定を変更することができる。
【０１１７】
機能選択枠４１４をストロボポップアップ４０６の位置に移動させ（図４（ｂ）４１５）、SETボタン１１２をONすると、ストロボをポップアップさせることができる。このように「クイック設定」ではＰＰＰボタン１０３を押さなくても画面表示と十字キー１１４の操作、SETボタン１１２の操作でストロボをポップアップさせることができる。
【０１１８】
以上説明し通り、応用撮影モードにするとストロボモードが手動モードで作動する。
【０１１９】
このとき背面ディスプレイの位置が「バリアングル閉」やディスプレイ消灯モードだと、ＧＵＩによるストロボアップ操作ができない。さらに、ストロボのポップアップ機能に割り当てられたスイッチ部材がない場合もストロボアップ操作ができない。
【０１２０】
本実施例では、ストロボモードが手動モードにおいて、ストロボのポップアップ機能に割り当てられたスイッチ部材がなく、ＧＵＩによるストロボアップ操作もできない場合、ストロボモードを自動発光モードに設定してストロボ撮影ができるようにする。
【０１２１】
なお、上記フローチャートの実行は１つのハードウェアが行ってもよいし、複数のハードウェアが処理を分担することで、装置全体の制御を行ってもよい。
【０１２２】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１２３】
また、本発明は、ポップアップストロボと、撮像手段を有する装置であれば適用可能である。すなわち、本発明はデジタルカメラ、デジタルビデオカメラ、カメラ付き携帯電話端末やカメラ付き音楽プレーヤー、カメラ付きゲーム機、カメラ付き電子ブックリーダーなどに適用可能である。
【０１２４】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０１２５】
（１０２）、内蔵閃光装置
（２０３）、アップ駆動手段
（１０４）、表示手段
【図１】
2012189839.tif 000003
【図２】
2012189839.tif 000004
【図３】
2012189839.tif 000005
【図４】
2012189839.tif 000006
【図５】
2012189839.tif 000007
【図６】
2012189839.tif 000008
【図７】
2012189839.tif 000009
【図８】
2012189839.tif 000010